(57)【特許請求の範囲】
【請求項１】
床下地板と、床下地板を支持する支持脚と、床下地板の上に実嵌合により連続して載置される床板とを備えた二重床構造において、床下地板に貫通孔を設けて床下点検口を形成すると共に、この床下点検口を、壁際に配し、その上部を一方で隣接する床板と実嵌合し他方で壁面と近接する着脱自在の床板で塞いだことを特徴とする二重床構造。
【請求項２】
床下点検口の上部を塞ぐ床板が近接する壁面に、この床板を上側から固定する着脱自在の幅木を設けたことを特徴とする請求項１記載の二重床構造。
【請求項３】
床下地板の下面の壁沿いに、端部を支持脚に支持され床下点検口の外側に位置する補強棒を設けたことを特徴とする請求項１又は２に記載の二重床構造。
【発明の詳細な説明】
【０００１】
【発明の属する技術分野】
本発明は、床下地板と、床下地板を支持する支持脚と、床下地板の上に実嵌合により連続して載置される床板とを備えた二重床構造に関するものである。
【０００２】
【従来の技術】
従来から、二重床構造における床下点検口は、アルミ製の枠材を用いた蓋式の構造となっていた。即ち、床板に開口を設けて枠材を取付け、この枠材の中に仕上げ材である床板を納めて蓋とするのである。この時、蓋となる床板の周縁には寸法を正確なものとする為に前述の枠材と同質の蓋用枠材が嵌め込まれる。
【０００３】
これにより、床下点検口は着脱自在の蓋となる床板で塞がれることになり、必要に応じてこの床板を外し、床下を点検することができるようになる。
【０００４】
又、上記のほかに枠材を用いないタイプも存在してはいる。このものは、点検口を塞ぐ蓋となる床板を木ネジ等によって係止し、その木ネジ頭をダボ式のキャップで隠すという構造としている。
【０００５】
【発明が解決しようとする課題】
しかしながら、上記従来の技術のうち枠材を用いるタイプのものにおいては、枠材を用いることで床板と枠材との間に外観上の違いが生じてしまったり、枠材を床板に取付ける際に手間がかかってしまうなどの問題が生じていた。
【０００６】
又、ダボ式キャップを用いるタイプのものにおいては、枠材を用いないので、確かに前述したタイプのような問題は生じないものの、床下を点検する度にダボ式キャップを外す必要が生じてしまう。このような作業はそれを繰り返すうちにダボ式キャップの紛失や破損の問題を発生させることになり、好ましいものとは言い難かった。
【０００７】
本発明は、上記事由に鑑みてなしたもので、その目的とするところは、外観上もすっきりし、施工にかかる手間も少なく、床下点検の際に部品等が紛失する恐れもない二重床構造を提供することにある。
【０００８】
【課題を解決するための手段】
上記目的を達成するために、本発明の二重床構造にあっては、請求項１に記載したように、床下地板と、床下地板を支持する支持脚と、床下地板の上に実嵌合により連続して載置される床板とを備えた二重床構造において、床下地板に貫通孔を設けて床下点検口を形成すると共に、この床下点検口を、壁際に配し、その上部を一方で隣接する床板と実嵌合し他方で壁面と近接する着脱自在の床板で塞いでいる。
【０００９】
これにより、外観上もすっきりし、施工にかかる手間も少なくなり、床下点検の際に部品等が紛失する恐れもなくなる。即ち、床下点検口を塞ぐ床板は一方で隣接する床板と実嵌合し他方で壁面と近接する着脱自在のものなので、床仕上げに枠材などの異質なものがなくなりすっきりとした外観を構成することができる。又、従来の技術のように蓋となる床板を釘や木ネジ等で固定するわけでもなく、キャップを用いるわけでもないので施工が簡単となる。
【００１０】
又、このものは壁際に配したことで、蓋となる床板の実嵌合を一方についてのみに限定することができる。即ち、壁際については隣接する床板が存在しないので、壁際については実嵌合させなくてすむ。この性質を利用することで蓋となる床板を着脱自在なものとするのに成功させている。両方で実嵌合させてしまうと簡単に外すことができなくなるのである。
【００１１】
又、本発明の二重床構造にあっては、請求項２に記載したように、床下点検口の上部を塞ぐ床板が近接する壁面に、この床板を上側から固定する着脱自在の幅木を設けても良い。
【００１２】
この場合、内装仕上げで一般的に用いられる幅木を活用して、床下点検口の上部を塞ぐ蓋となる床板をしっかりと固定することができる。即ち、一方を実嵌合で固定し他方を幅木によって固定するので固定が強固なものとなる。両方を固定することで固定を強固なものとする考えは当り前の考えであるが、本願請求項２に係る発明は、二重床構造の床である部分に着目し、床と近接した壁面に当然のように配設される幅木をその固定に活用した点において優れたものといえる。又、二重床構造の発明は一般的に床板から下側の部分にのみ目がいきやすい。本願請求項２に係る発明は床板から上の部分に目を向けた点においても、素晴らしいものといえる。
【００１３】
又、本発明の二重床構造にあっては、請求項３に記載したように、床下地板の下面の壁沿いに、端部を支持脚に支持され床下点検口の外側に位置する補強棒を設けても良い。
【００１４】
この場合、強固なつくりとなる。即ち、床下点検口を設けたことによる強度低下を補強棒で補うことができるので頑強なものとすることができる。補強棒は床下地板の下面の壁沿いに端部を支持脚に支持されて配設されるので、その配設は二重床構造の特徴を効果的に生かした配設といえる。即ち、支持脚に端部を支持させることで補強棒にかかる垂直荷重を支持脚に伝えることができる。支持脚は、垂直部材なので垂直方向の力に対しては充分な抗力を有する。又、壁沿いに配設することで、二重床構造の上部に設置させる家具類からの荷重を効果的に受け止めることができる。壁面に密着して設置される家具類からの荷重を受けるよう壁際に沿って補強棒を設けることで、効率の良い補強を実現している。
【００１５】
【発明の実施の形態】
図１乃至２は、本発明の請求項１乃至３に対応する一実施の二重床構造を示す説明図である。
【００１６】
本実施の形態の二重床構造は、請求項１に記載したように、床下地板（１）と、床下地板（１）を支持する支持脚（２）と、床下地板（１）の上に実嵌合により連続して載置される床板（３）とを備えた二重床構造において、床下地板（１）に貫通孔を設けて床下点検口（１ａ）を形成すると共に、この床下点検口（１ａ）を、壁際に配し、その上部を一方で隣接する床板（３ａ）と実嵌合し他方で壁面と近接する着脱自在の床板（３ｂ）で塞いでいる。
【００１７】
又、該実施の形態の二重床構造は、請求項２に記載したように、床下点検口（１ａ）の上部を塞ぐ床板（３ｂ）が近接する壁面に、この床板（３ｂ）を上側から固定する着脱自在の幅木（４）を設けている。
【００１８】
又、該実施の形態の二重床構造は、請求項３に記載したように、床下地板（１）の下面の壁沿いに、端部を支持脚（２）に支持され床下点検口（１ａ）の外側に位置する補強棒（５）を設けている。
【００１９】
本実施の形態の二重床構造は、床下地板（１）と、床下地板（１）を支持する支持脚（２）と、床下地板（１）の上に実嵌合により連続して載置される床板（３）と、床板（３）の上側から床板（３）を固定する幅木（４）と、床下地板（１）の下面に配設される補強棒（５）とを備えている。
【００２０】
床下地板（１）は平面外形が略長方形のもので、複数のものが連続して設置される。そのうち壁際に配設されるものについては矩形の床下点検口（１ａ）を有している。
【００２１】
支持脚（２）は床下地板（１）を支持する。床下地板（１）と床下地板（１）の継目となる部位に設けられ、隣接する両床下地板（１）からの垂直荷重を受ける。その為、上端に受板（２ａ）が設けられる。又、受板（２ａ）の下側には支持脚本体（２ｂ）を有し、支持脚本体（２ｂ）の下側には安定性を向上させる為の平面外形矩形の鍔（２ｃ）を有している。床下地板（１）は互いに略同寸のものからなるので、支持脚（２）の配設間隔は略同寸の間隔となる。
【００２２】
又、壁際の支持脚（２’）については、他のものより短いものとし、短くなった部分に補強棒（５）が納まるようにしている。
【００２３】
床板（３）は床下地板（１）の上に実嵌合により連続して載置される。このものは平面外形が矩形で一方に雄実部（６）を有し雄実部（６）と反対側の他方に雌実部（７）を有している。このものは連続して配設される。その際に、雄実部（６）は隣接する雌実部（７ａ）に実嵌合する。又、載置の際、床下地板（１）に対して斜め釘を打ち込むことで固定するようにしている。斜め釘は雌実部（７ａ）の内部から床下地板（１）に向って打ち込むようにする。
【００２４】
又、壁際に配設される床下点検口（１ａ）を有する床下地板（１）の上部に配設される床板（３ｂ）については、前述した斜め釘を用いることをしない。これは、床下点検口（１ａ）を使って床下を点検する際に簡単に床板（３ｂ）を外すことができるようにする為である。
【００２５】
幅木（４）は床下点検口（１ａ）を塞ぐ床板（３ｂ）を固定する為に着脱自在に前記床板（３ｂ）が近接する壁面に取付けられる。幅木（４）は一般的には目隠し釘で止められるものであるが、本実施の形態においては、着脱自在となるようにマジックテープ（登録商標）（４ａ）で固定される。図２が示すように、このものは、マジックテープ（登録商標）（４ａ）とマジックテープ（登録商標）（４ａ）が納まる凹部を有する幅木本体（４ｂ）とからなる。幅木本体（４ｂ）に設けた凹部にマジックテープ（登録商標）（４ａ）を納めることで幅木（４）が壁面から浮いてしまうのを防いでいる。又、マジックテープ（登録商標）（４ａ）は幅木（４）の長手方向に沿って設けられる。
【００２６】
補強棒（５）は、断面外形が略正方形の長尺物である。このものは支持脚（２）と床下地板（１）との間に配設される。又、壁面に沿って配設される。補強棒（５）は床下地板（１）の下面に予め取付けられていても良いし、施工の際に床下地板（１）と支持脚（２）の間に配設されても良い。
【００２７】
このように、以上説明した二重床構造によると、外観上もすっきりし、施工にかかる手間も少なくなり、床下点検の際に部品等が紛失する恐れもなくなる。即ち、床下点検口（１ａ）を塞ぐ床板（３）は一方で隣接する床板（３）と実嵌合し他方で壁面と近接する着脱自在のものなので、床仕上げに枠材などの異質なものがなくなりすっきりとした外観を構成することができる。又、従来の技術のように蓋となる床板（３ｂ）を釘や木ネジ等で固定するわけでもなく、キャップを用いるわけでもないので施工が簡単となる。
【００２８】
又、このものは壁際に配したことで、蓋となる床板（３ｂ）の実嵌合を一方についてのみに限定することができる。即ち、壁際については隣接する床板（３ａ）が存在しないので、壁際については実嵌合させなくてすむ。この性質を利用することで蓋となる床板（３ｂ）を着脱自在なものとするのに成功させている。両方で実嵌合させてしまうと簡単に外すことができなくなるのである。
【００２９】
又、内装仕上げで一般的に用いられる幅木（４）を活用して、床下点検口（１ａ）の上部を塞ぐ蓋となる床板（３ｂ）をしっかりと固定することができる。即ち、一方を実嵌合で固定し他方を幅木（４）によって固定するので固定が強固なものとなる。両方を固定することで固定を強固なものとする考えは当り前の考えであるが、本願請求項２に係る発明は、二重床構造の床である部分に着目し、床と近接した壁面に当然のように配設される幅木（４）をその固定に活用した点において優れたものといえる。又、二重床構造の発明は一般的に床板（３）から下側の部分にのみ目がいきやすい。本願請求項２に係る発明は床板（３）から上の部分に目を向けた点においても、素晴らしいものといえる。
【００３０】
又、強固なつくりとなる。即ち、床下点検口（１ａ）を設けたことによる強度低下を補強棒（５）で補うことができるので頑強なものとすることができる。補強棒（５）は床下地板（１）の下面の壁沿いに端部を支持脚（２）に支持されて配設されるので、その配設は二重床構造の特徴を効果的に生かした配設といえる。即ち、支持脚（２）に端部を支持させることで補強棒（５）にかかる垂直荷重を支持脚（２）に伝えることができる。支持脚（２）は、垂直部材なので垂直方向の力に対しては充分な抗力を有する。又、壁沿いに配設することで、二重床構造の上部に設置させる家具類からの荷重を効果的に受け止めることができる。壁面に密着して設置される家具類からの荷重を受けるよう壁際に沿って補強棒（５）を設けることで、効率の良い補強を実現している。
【００３１】
尚、上記の実施の形態の他にも図３に示したように、床下点検口（１ａ）を塞ぐ床板（３ｂ）の下面にもマジックテープ（登録商標）（４ａ）を設けても良い。この場合、床板（３）の固定が一層強固なものとなる。
【００３２】
【発明の効果】
上述の如く、請求項１記載の発明によれば、外観上もすっきりし、施工にかかる手間も少なくなり、床下点検の際に部品等が紛失する恐れもなくなる。
【００３３】
そして、請求項２記載の発明によれば、幅木を活用して、床下点検口の上部を塞ぐ蓋となる床板をしっかりと固定することができる。
【００３４】
そして、請求項３記載の発明によれば、床下点検口を設けたことによる強度低下を補強棒で補うことができるので頑強なものとすることができる。
【図面の簡単な説明】
【図１】本発明の一実施の形態である二重床構造を示す斜視図である。
【図２】該実施の形態である二重床構造を示す断面図である。
【図３】本発明の他の実施の形態である二重床構造を示す断面図である。
【符号の説明】
１    床下地板
１ａ  床下点検口
２    支持脚
３    床板
４    幅木
５    補強棒
【図１】
0003714195.tif 000002
【図２】
0003714195.tif 000003
【図３】
0003714195.tif 000004